(57)【要約】      （修正有）【課題】タグの剥離によりボトルを区別するＰＥフィルムを提供する。【解決手段】ＰＥフィルムは、ボトル体１とＰＥフィルム本体２を含み、ＰＥフィルム本体２はボトル体１の中央に配置され、ＰＥフィルム本体２とボトル体１が組み合わされて接続され、ＰＥフィルム本体２には、タグ２１、シール層、接着部及び凹溝が設けられており、タグ２１は、ＰＥフィルム本体２の表面の下端辺縁に設けられており、且つ、ＰＥフィルム本体２に接着されるとともに、左から右へ順に配列されており、タグ２１は三角形状をなしており、シール層はＰＥフィルム本体２の裏面に設けられるとともに、ＰＥフィルム本体２に接着されている。タグ２１を剥離してマーキングすることで他人のボトルと区別可能としている。構造が単純であり、大きな普及価値及び利用価値を有する。【選択図】図１
0003230326.tif 000002
【実用新案登録請求の範囲】
【請求項１】
ボトル体（１）とＰＥフィルム本体（２）を含むタグの剥離によりボトルを区別するＰＥフィルムにおいて、
前記ＰＥフィルム本体（２）はボトル体（１）の中央に配置され、前記ＰＥフィルム本体（２）とボトル体（１）が組み合わされて接続され、
前記ＰＥフィルム本体（２）には、タグ（２１）、シール層（２２）、接着部（２３）及び凹溝（２４）が設けられており、
前記タグ（２１）は、ＰＥフィルム本体（２）の表面の下端辺縁に設けられており、且つ、ＰＥフィルム本体（２）に接着されるとともに、左から右へ順に配列されており、前記タグ（２１）は三角形状をなしており、前記シール層（２２）はＰＥフィルム本体（２）の裏面に設けられるとともに、ＰＥフィルム本体（２）に接着されていることを特徴とするＰＥフィルム。
【請求項２】
前記接着部（２３）は、ＰＥフィルム本体（２）の左側辺縁に設けられるとともにＰＥフィルム本体（２）と一体成型されており、前記接着部（２３）は長方形状をなしていることを特徴とする請求項１に記載のタグの剥離によりボトルを区別するＰＥフィルム。
【請求項３】
前記凹溝（２４）はタグ（２１）の裏面に開設されており、前記凹溝（２４）は三角形状をなしていることを特徴とする請求項１に記載のタグの剥離によりボトルを区別するＰＥフィルム。
【請求項４】
前記タグ（２１）の上方は、形成される文字の違いによってマーキングされ、且つ、前記タグ（２１）は色の違いによってマーキングされることを特徴とする請求項１に記載のタグの剥離によりボトルを区別するＰＥフィルム。
【請求項５】
前記ＰＥフィルム本体（２）はポリエチレンを材質として作製されることを特徴とする請求項１に記載のタグの剥離によりボトルを区別するＰＥフィルム。
【考案の詳細な説明】
【技術分野】
【０００１】
本考案はボトル部品の技術分野に関し、具体的には、タグの剥離によりボトルを区別するＰＥフィルムに関する。
【背景技術】
【０００２】
ＰＥフィルムは構造が最も単純な高分子有機化合物であり、現在のところ世界で最も広く用いられている高分子材料である。ＰＥ保護フィルムは特殊なポリエチレンのプラスチックシートを基材としており、密度の違いによって、高密度ポリエチレン保護フィルム、中密度ポリエチレン及び低密度ポリエチレンに区分される。
【０００３】
現在、ミネラルウォーターを消費するにあたっては、一瓶を一気に飲み終えられないことが多い。また、集団活動ではどのボトルが自分のものかを見分けにくいため、ボトルをどのように区別するのかが課題となっている。そこで、タグの剥離によりボトルを区別するＰＥフィルムを提案する。
【考案の概要】
【考案が解決しようとする課題】
【０００４】
本考案は、タグの剥離によりボトルを区別するＰＥフィルムを提供し、背景技術の課題を解決することを目的とする。
【課題を解決するための手段】
【０００５】
上記の目的を実現すべく、本考案は以下の技術方案を提供する。
【０００６】
タグの剥離によりボトルを区別するＰＥフィルムであって、ボトル体とＰＥフィルム本体を含み、前記ＰＥフィルム本体はボトル体の中央に配置され、前記ＰＥフィルム本体とボトル体が組み合わされて接続され、前記ＰＥフィルム本体には、タグ、シール層、接着部及び凹溝が設けられており、前記タグは、ＰＥフィルム本体の表面の下端辺縁に設けられており、且つ、ＰＥフィルム本体に接着されるとともに、左から右へ順に配列されており、前記タグは三角形状をなしており、前記シール層はＰＥフィルム本体の裏面に設けられるとともに、ＰＥフィルム本体に接着されている。
【０００７】
本考案の好ましい実施形態として、前記接着部は、ＰＥフィルム本体の左側辺縁に設けられるとともにＰＥフィルム本体と一体成型されており、前記接着部は長方形状をなしている。
【０００８】
本考案の好ましい実施形態として、前記凹溝はタグの裏面に開設されており、前記凹溝は三角形状をなしている。
【０００９】
本考案の好ましい実施形態として、前記タグの上方は、形成される文字の違いによってマーキングされ、且つ、前記タグは色の違いによってマーキングされる。
【００１０】
本考案の好ましい実施形態として、前記ＰＥフィルム本体はポリエチレンを材質として作製される。
【考案の効果】
【００１１】
従来技術と比較して、本考案の有益な効果は以下である。即ち、タグを設け、且つ、タグを剥離してマーキングすることで他人のボトルと区別可能としているため、構造が単純化し、大きな普及価値及び利用価値を有する。また、文字や色を変えることで異なるボトルの区別がより容易となるため、タグの新規性がいっそう向上し、且つ構造が単純化する。
【図面の簡単な説明】
【００１２】
【図１】図１は、本考案におけるタグの剥離によりボトルを区別するＰＥフィルムを正面から見た構造図である。
【図２】図２は、本考案のＰＥフィルム本体を正面から見た構造図である。
【図３】図３は、本考案のＰＥフィルム本体を側面から見た断面図である。
【考案を実施するための形態】
【００１３】
以下に、本考案の実施例における図面を組み合わせて、本考案の実施例の技術方案につき明瞭簡潔に述べる。
【００１４】
図１〜３を参照して、本考案は次の技術方案を提供する。即ち、タグの剥離によりボトルを区別するＰＥフィルムであって、ボトル体１とＰＥフィルム本体２を含む。前記ＰＥフィルム本体２はボトル体１の中央に配置される。また、前記ＰＥフィルム本体２とボトル体１は組み合わされて接続される。
【００１５】
前記ＰＥフィルム本体２には、タグ２１、シール層２２、接着部２３及び凹溝２４が設けられている。
【００１６】
前記タグ２１はＰＥフィルム本体２の表面の下端辺縁に設けられ、ＰＥフィルム本体２に接着されるとともに、左から右へ順に配列されている。前記タグ２１は三角形状をなしている。また、前記シール層２２はＰＥフィルム本体２の裏面に設けられており、ＰＥフィルム本体２に接着されている。
【００１７】
前記接着部２３はＰＥフィルム本体２の左側辺縁に設けられており、ＰＥフィルム本体２と一体成型されている。前記接着部２３は長方形状をなしている。接着部２３を設けることで、ＰＥフィルム本体２とボトル体１を接着しやすくなり、構造が単純化するとともに、操作が容易となる。
【００１８】
前記凹溝２４はタグ２１の裏面に開設されている。前記凹溝２４は三角形状をなしている。凹溝２４とタグ２１を対応させて嵌合するよう設けることで、操作が容易となり、構造が単純化する。
【００１９】
前記タグ２１の上方は、形成される文字の違いによってマーキングされる。また、前記タグ２１は色の違いによってマーキングされる。文字や色を変えることで異なるボトルの区別がより容易となるため、タグ２１の新規性がいっそう向上し、且つ構造が単純化する。
【００２０】
前記ＰＥフィルム本体２はポリエチレンを材質として作製される。ポリエチレンを用いることで構造が単純化し、実用価値が広がる。
【００２１】
本考案の部品であるボトル体１、ＰＥフィルム本体２、タグ２１、シール層２２、接着部２３、凹溝２４はいずれも共用可能な標準部品とするか、当業者にとって周知の部品とする。また、構造及び原理は、当業者が技術マニュアルから知り得るものか、或いは、一般的な実験手法により周知可能なものとする。本考案ではタグ２１を設け、且つ、タグ２１を剥離してマーキングすることで他人のボトルと区別可能としている。よって、構造が単純であり、大きな普及価値及び利用価値を有する。また、文字や色を変えることで異なるボトルの区別がより容易となるため、タグ２１の新規性がいっそう向上し、且つ構造が単純化する。
【００２２】
操作原理：本考案を使用する際には、まず、ＰＥフィルム本体２をボトル体２に巻き付ける。そして、接着部２３をＰＥフィルム本体２の右端側に貼り付けることでＰＥフィルム本体２をボトル体１に接着した後、人によって異なる色及び文字に対応するタグ２１を剥離すればよい。
【００２３】
以上、本考案の基本原理と主な特徴及び本考案の利点を示し、記載した。当業者にとって、本考案は上記の例示的実施例の詳細に限定されず、本考案の精神又は基本的特徴を逸脱しないことを前提に、その他の具体的な形式でも本考案を実現可能なことはいうまでもない。よって、あらゆる点において、実施例は限定を意図するものではなく例示的なものとみなされるべきである。本考案の範囲は上記の説明ではなく添付の請求の範囲によって限定される。したがって、請求の範囲と同等要件の意味及び範囲に落とし込まれるあらゆる変形は、本考案に包括される。また、請求項中のどの符号も関連の請求の範囲を限定するものとみなすべきではない。
【００２４】
このほか、本明細書では実施形態に基づき記載したが、各実施形態が１つの独立した技術方案のみを含むというわけではない。明細書のこのような記載方式は明瞭化を目的としたものにすぎず、当業者は明細書を全体として捉えるべきである。よって、各実施例の技術方案を適切に組み合わせることで、当業者が理解可能なその他の実施形態を形成してもよい。
【符号の説明】
【００２５】
１  ボトル体
２  ＰＥフィルム本体
２１  タグ
２２  シール層
２３  接着部
２４  凹溝
【図１】
0003230326.tif 000003
【図２】
0003230326.tif 000004
【図３】
0003230326.tif 000005
【手続補正書】
【提出日】令和2年11月20日(2020.11.20)
【手続補正１】
【補正対象書類名】実用新案登録請求の範囲
【補正対象項目名】全文
【補正方法】変更
【補正の内容】
【実用新案登録請求の範囲】
【請求項１】
ボトル体（１）とＰＥフィルム本体（２）を含むタグの剥離によりボトルを区別するＰＥフィルムにおいて、
前記ＰＥフィルム本体（２）はボトル体（１）の中央に配置され、前記ＰＥフィルム本体（２）とボトル体（１）が組み合わされて接続され、
前記ＰＥフィルム本体（２）には、タグ（２１）、シール層（２２）、接着部（２３）及び凹溝（２４）が設けられており、
前記タグ（２１）は、ＰＥフィルム本体（２）の表面の下端辺縁に設けられており、且つ、左から右へ順に配列されており、前記タグ（２１）は三角形状をなしており、
前記シール層（２２）はＰＥフィルム本体（２）の裏面に設けられるとともに、ＰＥフィルム本体（２）に接着されており、
前記凹溝（２４）は前記タグ（２１）の裏面に開設されており、前記凹溝（２４）は三角形状をなしており、
前記接着部（２３）は、前記ＰＥフィルム本体（２）の左側辺縁に設けられるとともにＰＥフィルム本体（２）と一体成型されており、前記ＰＥフィルム本体（２）が前記ボトル体（１）の中央に巻き付けられ、前記接着部（２３）が前記ＰＥフィルム本体（２）の右端側と貼り付けられていることを特徴とするＰＥフィルム。
【請求項２】
前記接着部（２３）は長方形状をなしていることを特徴とする請求項１に記載のタグの剥離によりボトルを区別するＰＥフィルム。
【請求項３】
前記タグ（２１）の上方は、形成される文字の違いによってマーキングされ、且つ、前記タグ（２１）は色の違いによってマーキングされることを特徴とする請求項１に記載のタグの剥離によりボトルを区別するＰＥフィルム。
【請求項４】
前記ＰＥフィルム本体（２）はポリエチレンを材質として作製されることを特徴とする請求項１に記載のタグの剥離によりボトルを区別するＰＥフィルム。